(57)【要約】【課題】ＤＶＤの再生中に出力する映像の設定を変更することができる装置制御システムを提供する。【解決手段】装置制御システムの映像再生装置２は、外部装置５の動作を制御する制御情報を表示用データ領域中に予め含む映像情報１０と、制御情報に重なる領域に所定のパターンのマスクを予め含む字幕情報１１とをＤＶＤ２から読み取る情報読取部２１と、映像情報１０を生成処理して映像データ２２０を出力する映像処理部２２と、字幕情報１１からマスクを含むサブピクチャデータ２３０を生成処理する字幕処理部２３と、マスクの表示を制御する字幕切替ボタン２０と、映像データ２２０とサブピクチャデータ２３０とを合成して出力映像データ２４０を生成する映像合成部２４と、出力映像データ２４０から制御情報を抽出して外部装置５の動作を制御する制御信号抽出装置４に、出力映像データ２４０を出力する映像信号出力部２５とを有する。【選択図】図２Ａ
2010153940.tif 000002
【特許請求の範囲】
【請求項１】
外部装置の動作を制御する制御情報を表示用データ領域中に含む映像情報と、前記映像情報の前記表示用データ領域中の前記制御情報に重なる領域に所定のパターンのマスクを含む字幕情報とを読み取る情報読取部と、
前記映像情報から前記制御情報を含む表示用データを生成処理する映像処理部と、
前記字幕情報から前記マスクを含む表示用データを生成処理する字幕処理部と、
前記字幕処理部を制御することにより前記マスクの表示を切り替える字幕切替部と、
前記制御情報を含む表示用データと前記マスクを含む表示用データとを合成して出力用の表示用データを生成する映像合成部と、
前記出力用の表示用データから前記マスクによりマスクされた制御情報を抽出して前記外部装置に供給することにより前記外部装置の動作を制御する制御信号抽出装置に、前記出力用の表示用データを出力する映像信号出力部とを有することを特徴とする映像再生装置。
【請求項２】
前記情報読取部は、前記字幕情報から複数のパターンの前記マスクを読み取ることを特徴とする請求項１に記載の映像再生装置。
【請求項３】
前記字幕切替部は、前記複数のパターンの前記マスクから所定のパターンのマスクを選択するよう、又は前記マスクを表示しないよう前記字幕処理部を制御することを特徴とする請求項２に記載の映像再生装置。
【請求項４】
前記情報読取部は、前記字幕情報から制御情報を含むマスクを読み取ることを特徴とする請求項１に記載の映像再生装置。
【請求項５】
映像情報と、外部装置の動作を制御する制御情報を表示用データ領域中に含む字幕情報とを読み取る情報読取部と、
前記映像情報から表示用データを生成処理する映像処理部と、
前記字幕情報から前記制御情報を含む表示用データを生成処理する字幕処理部と、
前記字幕処理部を制御することにより前記制御情報の表示を切り替える字幕切替部と、
前記表示用データと前記制御情報を含む表示用データとを合成して出力用の表示用データを生成する映像合成部と、
前記出力用の表示用データから前記制御情報を抽出して前記外部装置に供給することにより前記外部装置の動作を制御する制御信号抽出装置に、前記出力用の表示用データを出力する映像信号出力部とを有することを特徴とする映像再生装置。
【請求項６】
前記情報読取部は、前記字幕情報から複数のパターンの前記制御情報を読み取ることを特徴とする請求項５に記載の映像再生装置。
【請求項７】
前記字幕切替部は、前記複数のパターンの前記制御情報から所定のパターンの制御情報を選択するよう、又は前記制御情報を表示しないよう前記字幕処理部を制御することを特徴とする請求項６に記載の映像再生装置。
【発明の詳細な説明】
【技術分野】
【０００１】
本発明は、映像再生装置に関する。
【背景技術】
【０００２】
従来の技術として、利用者の設定に基づいてＤＶＤ（Ｄｉｇｉｔａｌ  Ｖｅｒｓａｔｉｌｅ  Ｄｉｓｃ）のサブピクチャの表示形態を変更する映像再生装置がある（例えば、特許文献１参照）。
【０００３】
この映像再生装置は、ＤＶＤに記録された映像情報及びサブピクチャ情報を読み出す読出部と、読み出された映像情報及びサブピクチャ情報を再生する再生部と、利用者によって入力される操作信号に基づいてサブピクチャの表示形態の設定を受け付ける設定部と、設定された表示形態に基づいてサブピクチャ情報を表示するように再生部を制御する制御部とを有し、設定部は、サブピクチャの色、サイズ、位置及びスクロール速度を変更することができるため、利用者の所望する表示形態によってサブピクチャを表示することができる。
【０００４】
しかし、従来の映像再生装置によるとＤＶＤの再生前に予め表示形態を設定する必要があり、ＤＶＤの再生中においてその設定を変更することができないという問題がある。
【特許文献１】特開２００１−７８１４９号公報
【発明の開示】
【発明が解決しようとする課題】
【０００５】
従って、本発明の目的は、ＤＶＤの再生中に出力する映像の設定を変更することができる映像再生装置を提供することにある。
【課題を解決するための手段】
【０００６】
（１）本発明は上記目的を達成するため、外部装置の動作を制御する制御情報を表示用データ領域中に含む映像情報と、前記映像情報の前記表示用データ領域中の前記制御情報に重なる領域に所定のパターンのマスクを含む字幕情報とを読み取る情報読取部と、前記映像情報から前記制御情報を含む表示用データを生成処理する映像処理部と、前記字幕情報から前記マスクを含む表示用データを生成処理する字幕処理部と、前記字幕処理部を制御することにより前記マスクの表示を切り替える字幕切替部と、前記制御情報を含む表示用データと前記マスクを含む表示用データとを合成して出力用の表示用データを生成する映像合成部と、前記出力用の表示用データから前記マスクによりマスクされた制御情報を抽出して前記外部装置に供給することにより前記外部装置の動作を制御する制御信号抽出装置に、前記出力用の表示用データを出力する映像信号出力部とを有することを特徴とする映像再生装置を提供する。
【０００７】
上記した構成によれば、表示用データに予め含められた制御情報上に、字幕情報に予め含められたマスクを合成して表示し、制御情報の一部または全部を表示させないことで、字幕切替部によってマスクの表示を制御するため、ＤＶＤの再生中に、出力する映像に含まれる制御情報の表示を変更することができる。
【０００８】
（２）本発明は上記目的を達成するため、映像情報と、外部装置の動作を制御する制御情報を表示用データ領域中に含む字幕情報とを読み取る情報読取部と、前記映像情報から表示用データを生成処理する映像処理部と、前記字幕情報から前記制御情報を含む表示用データを生成処理する字幕処理部と、前記字幕処理部を制御することにより前記制御情報の表示を切り替える字幕切替部と、前記表示用データと前記制御情報を含む表示用データとを合成して出力用の表示用データを生成する映像合成部と、前記出力用の表示用データから前記制御情報を抽出して前記外部装置に供給することにより前記外部装置の動作を制御する制御信号抽出装置に、前記出力用の表示用データを出力する映像信号出力部とを有することを特徴とする映像再生装置を提供する。
【０００９】
上記した構成によれば、表示用データに、字幕情報に予め含められた制御情報を合成して表示することで、字幕切替部によって制御情報の表示を制御するため、ＤＶＤの再生中に、出力する映像に含まれる制御情報の表示を変更することができる。
【発明の効果】
【００１０】
本発明によれば、ＤＶＤの再生中に出力映像の表示の設定を変更することができる。
【発明を実施するための最良の形態】
【００１１】
以下に、本発明の映像再生装置の実施の形態を、図面を参照して詳細に説明する。
【００１２】
［実施の形態］
（映像再生装置の構成）
図１は、本発明の実施の形態に係る映像再生装置及び外部機器の構成を示す概略図である。
【００１３】
ＤＶＤ１は、ＤＶＤ−Ｖｉｄｅｏフォーマットで記録された映像情報１０と、字幕情報１１とを有する。映像情報１０は、外部装置５を制御するための制御信号を映像中に含む。制御信号は、輝度値０％と１００％との二値で表示される。字幕情報１１は、最大３２種類の字幕を表示することができ、それらは後述する字幕切替ボタンによって切り替えて表示される。
【００１４】
映像再生装置２は、ＤＶＤ１に記録された映像情報１０及び字幕情報１１を再生可能であり、再生した結果、映像信号Ｓ１及びＳ２を出力する。また、映像再生装置２は、複数の操作スイッチからなるリモコン２Ａから操作スイッチの操作に基づいて送信される操作信号を受信するリモコン受信部を有し、操作信号に基づいて動作する。また、リモコン２Ａは、映像再生装置２において字幕情報１１に基づいて再生される字幕の種類を切り替えるための字幕切替ボタン２０を有する。
【００１５】
表示装置３は、ＬＣＤ（Ｌｉｑｕｉｄ  Ｃｒｙｓｔａｌ  Ｄｉｓｐｌａｙ）等の表示画面を有し、入力された映像信号Ｓ１を表示処理する。制御信号抽出装置４は、入力された映像信号Ｓ２から輝度値１００％の制御信号を抽出し、後述する外部装置５を制御するための外部装置制御信号Ｄ１を出力する。外部装置５は、入力された外部装置制御信号Ｄ１に基づいて動作する機器であり、例えば、動作用のモーターを有する人形や照明装置等である。また、外部装置５は、映像再生装置２に対してリモコン２Ａの字幕切替ボタン２０が押下された際に出力される操作信号に相当する信号を送信するための字幕切替ボタン５０を有する。
【００１６】
図２Ａは、本発明の実施の形態に係る映像再生装置の構成を示すブロック図である。
【００１７】
映像再生装置２は、ＤＶＤ１から映像情報１０及び字幕情報１１を読み取る情報読取部２１と、映像情報１０に対してデコード処理等を行い後述する映像データを出力する映像処理部２２と、字幕情報１１を処理し後述するサブピクチャデータを出力する字幕処理部２３と、映像処理部２２が出力した映像データと字幕処理部２３が出力したサブピクチャデータとを合成して出力映像データを出力する映像合成部２４と、映像合成部２４が出力した出力映像データを映像信号Ｓ１及びＳ２に変換して出力する映像信号出力部２５と、リモコン２Ａの字幕切替ボタン２０が押下された際に字幕処理部２３に対し字幕の種類を変更するよう動作させる制御信号を送信するリモコン信号受信部２６とを有する。
【００１８】
図２Ｂは、本発明の実施の形態に係る制御信号抽出装置の構成を示すブロック図である。
【００１９】
制御信号抽出装置４は、映像再生装置２から入力される映像信号Ｓ２を同期信号検出部４１及び輝度信号二値化処理部４２に出力する映像信号入力部４０と、映像信号Ｓ２に含まれる制御信号から同期信号を検出する同期信号検出部４１と、映像信号Ｓ２に含まれる制御信号の輝度を二値化する輝度信号二値化処理部４２と、検出された同期信号及び二値化された制御信号に基づいて制御信号を解析する信号解析部４３と、信号解析部４３の解析結果を外部装置制御信号Ｄ１として出力する制御信号出力部４４とを有する。
【００２０】
（動作）
以下に、本発明の実施の形態における映像再生装置の動作を各図を参照しつつ説明する。
【００２１】
映像再生装置２の利用者が、ＤＶＤ１を映像再生装置２の図示しないＤＶＤ挿入口から装置内に設置し、リモコン２Ａ等により再生操作を実行すると、映像再生装置２はＤＶＤ１の映像情報１０及び字幕情報１１を読み取り、デコード等の再生処理を実行して映像信号Ｓ１を表示装置３に、映像信号Ｓ２を制御信号抽出装置４に出力する。
【００２２】
表示装置３は、映像信号Ｓ１を受信し、表示処理を行うことで表示画面に映像を表示する。また、制御信号抽出装置４は、映像信号Ｓ２を受信し、映像中に含まれた制御信号を抽出して、抽出した制御信号に基づいて外部装置制御信号Ｄ１を出力する。
【００２３】
外部装置５は、外部装置制御信号Ｄ１を受信し、受信した外部装置制御信号Ｄ１に基づいて動作する。
【００２４】
利用者は、リモコン２Ａの字幕切替ボタン２０、又は字幕切替ボタン５０を押下することで映像再生装置２において字幕情報１１に基づいて表示される字幕を切り替える。
【００２５】
図３は、本発明の実施の形態に係る映像再生装置の動作例を示す概略図である。
【００２６】
映像処理部２２は、映像情報１０をデコード処理することで、例えば、映像中の下端２ラインに、制御信号ｃ１０〜ｃ２０を含む映像データ２２０を出力する。制御信号ｃ１０〜ｃ２０は、映像データ２２０において表示するよう予め映像情報１０に記録されており、輝度値が０％又は１００％の情報である。２ライン中の各エリアは、例えば、外部装置５の各部の動作に対応して表示される。
【００２７】
字幕処理部２３は、字幕情報１１を処理することで、例えば、映像中の下端２ラインに、輝度値０％のマスクｍ１を含むサブピクチャデータ２３０を出力する。なお、サブピクチャデータ２３０は、字幕情報１１に字幕２３０ａに関する情報を含む場合は、字幕２３０ａをマスクｍ１とともに表示する。
【００２８】
映像合成部２４は、映像データ２２０の上にサブピクチャデータ２３０を重ねて出力映像データ２４０を出力する。マスクｍ１は輝度値０％のため、制御信号ｃ１０〜ｃ２０のうち、マスクｍ１と同位置に表示される制御信号ｃ１０〜ｃ１３、及びｃ１７〜ｃ２０は輝度値０％に置き換えられる。出力映像データ２４０は、制御信号としてｃ１４〜ｃ１６のみを表示する。
【００２９】
図４（ａ）〜（ｄ）は、本発明の実施の形態に係る映像再生装置が表示するマスクの例を示す概略図である。
【００３０】
サブピクチャ２３０に表示されるマスクは、図４（ａ）に示すように、制御信号の一部のみを表示させるマスクｍ２と、図４（ｂ）に示すように、制御信号の一部のみを輝度値０％にして表示させるマスクｍ３と、図４（ｃ）に示すように、制御信号の一部を強制的に輝度値１００％に表示させるマスクとしての制御信号ｃ３０と、図４（ｄ）に示すように、制御信号に加工を加えない表示（又はサブピクチャデータ２３０の非表示）とを組み合わせて様々な表示が可能である。なお、図４（ｃ）に示す制御信号を含むマスクをサブピクチャ２３０に表示する場合、映像データ２２０は、必ずしも制御信号を含んでいなくてもよい。
【００３１】
図５は、本発明の実施の形態に係る映像再生装置が表示するマスクの例を示す概略図である。
【００３２】
字幕処理部２３は、リモコン信号受信部２６から字幕切替の操作信号を受信すると、字幕１〜字幕３２の３２種類の字幕を切り替えて表示する。各字幕には、それぞれ異なるマスクｍ１０〜ｍ１３が用意されており、映像データ２２０の制御信号の表示を変更する。
【００３３】
図６は、本発明の実施の形態に係る映像再生装置が表示するマスクの例を示す概略図である。
【００３４】
字幕処理部２３は、各種類の字幕をそれぞれ、再生時間について変化させて表示する。図６に示す例では、再生時間ｔ１〜ｔ２においてマスクｍ２０を、再生時間ｔ２〜ｔ３においてマスクｍ２１を、再生時間ｔ３〜ｔ４においてマスクｍ２２を、再生時間ｔ４〜ｔ５においてマスクｍ２３及び制御信号Ｃ３１を表示する。
【００３５】
（実施の形態の効果）
上記した実施の形態によると、ＤＶＤ１の再生中において、字幕切替の操作を実行することで、映像データ中の制御信号をサブピクチャデータ中のマスク又は制御信号によって変更することができる。また、これにより、通常映像データ中の制御信号に基づいて１パターンで動作する外部装置５の動作を、字幕を切り替えることで他のパターンに変更することができる。
【００３６】
なお、サブピクチャデータ中のマスク又は制御信号は、図６に示すように再生時間とともに変化してもよいし、変化せずに一定のマスクや制御信号を表示する構成にしてもよい。
【００３７】
また、映像データ２２０中に制御信号を含まずに、サブピクチャデータ２３０に制御信号を含む構成とし、字幕を切り替えることで複数のパターンで制御情報を表示するようにしてもよい。
【図面の簡単な説明】
【００３８】
【図１】本発明の実施の形態に係る映像再生装置及び外部機器の構成を示す概略図である。
【図２Ａ】本発明の実施の形態に係る映像再生装置の構成を示すブロック図である。
【図２Ｂ】本発明の実施の形態に係る制御信号抽出装置の構成を示すブロック図である。
【図３】本発明の実施の形態に係る映像再生装置の動作例を示す概略図である。
【図４】（ａ）〜（ｄ）は、本発明の実施の形態に係る映像再生装置が表示するマスクの例を示す概略図である。
【図５】本発明の実施の形態に係る映像再生装置が表示するマスクの例を示す概略図である。
【図６】本発明の実施の形態に係る映像再生装置が表示するマスクの例を示す概略図である。
【符号の説明】
【００３９】
１…ＤＶＤ、２…映像再生装置、２Ａ…リモコン、３…表示装置、４…制御信号抽出装置、５…外部装置、１０…映像情報、１１…字幕情報、２０…字幕切替ボタン、２１…情報読取部、２２…映像処理部、２３…字幕処理部、２４…映像合成部、２５…映像信号出力部、２６…リモコン信号受信部、４０…映像信号入力部、４１…同期信号検出部、４２…輝度信号二値化処理部、４３…信号解析部、４４…制御信号出力部、５０…字幕切替ボタン、２２０…映像データ、２３０…サブピクチャ、２３０…サブピクチャデータ、２４０…出力映像データ、Ｓ１…映像信号、Ｓ２…映像信号、Ｄ１…外部装置制御信号、ｍ１−ｍ３…マスク、ｍ１０-ｍ１３…マスク、ｍ２０−ｍ２３…マスク、ｃ１０-ｃ２０…制御信号、ｃ３０−ｃ３１…制御信号
【図１】
2010153940.tif 000003
【図２Ａ】
2010153940.tif 000004
【図２Ｂ】
2010153940.tif 000005
【図３】
2010153940.tif 000006
【図４】
2010153940.tif 000007
【図５】
2010153940.tif 000008
【図６】
2010153940.tif 000009
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
外部装置の動作を制御信号抽出装置を介して制御するための制御情報を表示用データ領域中に含む映像情報と、前記映像情報の前記表示用データ領域中の前記制御情報に重なる領域に所定のパターンのマスクを含む字幕情報とをＤＶＤから読み取る情報読取部と、
前記映像情報から前記制御情報を含む表示用データを生成処理する映像処理部と、
前記字幕情報から前記マスクを含む表示用データを生成処理する字幕処理部と、
前記字幕処理部を制御することにより前記マスクの表示を切り替える字幕切替部と、
前記制御情報を含む表示用データと前記マスクを含む表示用データとを合成して出力用の表示用データを生成する映像合成部と、
前記出力用の表示用データに含まれる前記マスクによりマスクされた前記制御情報に基づいて、同期信号を検出するとともに前記制御情報の輝度を二値化して抽出した外部装置制御信号を前記外部装置に出力することで前記外部装置の動作を制御する前記制御信号抽出装置に、前記出力用の表示用データを出力する映像信号出力部とを有することを特徴とする映像再生装置。
【請求項２】
前記情報読取部は、前記字幕情報から複数のパターンの前記マスクを読み取ることを特徴とする請求項１に記載の映像再生装置。
【請求項３】
前記字幕切替部は、前記複数のパターンの前記マスクから所定のパターンのマスクを選択するよう、又は前記マスクを表示しないよう前記字幕処理部を制御することを特徴とする請求項２に記載の映像再生装置。
【請求項４】
前記情報読取部は、前記字幕情報から制御情報を含むマスクを読み取ることを特徴とする請求項１に記載の映像再生装置。
【請求項５】
映像情報と、外部装置の動作を制御信号抽出装置を介して制御するための制御情報を表示用データ領域中に含む字幕情報とをＤＶＤから読み取る情報読取部と、
前記映像情報から表示用データを生成処理する映像処理部と、
前記字幕情報から前記制御情報を含む表示用データを生成処理する字幕処理部と、
前記字幕処理部を制御することにより前記制御情報の表示を切り替える字幕切替部と、
前記表示用データと前記制御情報を含む表示用データとを合成して出力用の表示用データを生成する映像合成部と、
前記出力用の表示用データに含まれる前記制御情報に基づいて、同期信号を検出するとともに前記制御情報の輝度を二値化して抽出した外部装置制御信号を前記外部装置に出力することで前記外部装置の動作を制御する前記制御信号抽出装置に、前記出力用の表示用データを出力する映像信号出力部とを有することを特徴とする映像再生装置。
【請求項６】
前記情報読取部は、前記字幕情報から複数のパターンの前記制御情報を読み取ることを特徴とする請求項５に記載の映像再生装置。
【請求項７】
前記字幕切替部は、前記複数のパターンの前記制御情報から所定のパターンの制御情報を選択するよう、又は前記制御情報を表示しないよう前記字幕処理部を制御することを特徴とする請求項６に記載の映像再生装置。
【手続補正２】
【補正対象書類名】明細書
【補正対象項目名】０００６
【補正方法】変更
【補正の内容】
【０００６】
（１）本発明は上記目的を達成するため、外部装置の動作を制御信号抽出装置を介して制御するための制御情報を表示用データ領域中に含む映像情報と、前記映像情報の前記表示用データ領域中の前記制御情報に重なる領域に所定のパターンのマスクを含む字幕情報とをＤＶＤから読み取る情報読取部と、前記映像情報から前記制御情報を含む表示用データを生成処理する映像処理部と、前記字幕情報から前記マスクを含む表示用データを生成処理する字幕処理部と、前記字幕処理部を制御することにより前記マスクの表示を切り替える字幕切替部と、前記制御情報を含む表示用データと前記マスクを含む表示用データとを合成して出力用の表示用データを生成する映像合成部と、前記出力用の表示用データに含まれる前記マスクによりマスクされた前記制御情報に基づいて、同期信号を検出するとともに前記制御情報の輝度を二値化して抽出した外部装置制御信号を前記外部装置に出力することで前記外部装置の動作を制御する前記制御信号抽出装置に、前記出力用の表示用データを出力する映像信号出力部とを有することを特徴とする映像再生装置を提供する。
【手続補正３】
【補正対象書類名】明細書
【補正対象項目名】０００８
【補正方法】変更
【補正の内容】
【０００８】
（２）また、本発明は上記目的を達成するため、映像情報と、外部装置の動作を制御信号抽出装置を介して制御するための制御情報を表示用データ領域中に含む字幕情報とをＤＶＤから読み取る情報読取部と、前記映像情報から表示用データを生成処理する映像処理部と、前記字幕情報から前記制御情報を含む表示用データを生成処理する字幕処理部と、前記字幕処理部を制御することにより前記制御情報の表示を切り替える字幕切替部と、前記表示用データと前記制御情報を含む表示用データとを合成して出力用の表示用データを生成する映像合成部と、前記出力用の表示用データに含まれる前記制御情報に基づいて、同期信号を検出するとともに前記制御情報の輝度を二値化して抽出した外部装置制御信号を前記外部装置に出力することで前記外部装置の動作を制御する前記制御信号抽出装置に、前記出力用の表示用データを出力する映像信号出力部とを有することを特徴とする映像再生装置を提供する。
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
制御情報を表示用データ領域中に含む映像情報と、前記映像情報の前記表示用データ領域中の前記制御情報に重なる領域に所定のパターンのマスクを含む字幕情報とをＤＶＤから読み取る情報読取部と、前記映像情報から前記制御情報を含む表示用データを生成処理する映像処理部と、前記字幕情報から前記マスクを含む表示用データを生成処理する字幕処理部と、前記字幕処理部を制御することにより前記マスクの表示を切り替える字幕切替部と、前記制御情報を含む表示用データと前記マスクを含む表示用データとを合成して出力用の表示用データを生成する映像合成部と、前記出力用の表示用データを出力する映像信号出力部とを有する映像再生装置と、
前記出力用の表示用データに含まれる前記マスクによりマスクされた前記制御情報に基づいて、同期信号を検出するとともに前記制御情報の輝度を二値化して抽出した外部装置制御信号を出力する制御信号抽出装置と、
前記制御信号抽出装置が出力する前記外部装置制御信号に基づいて動作する外部装置とを備えることを特徴とする装置制御システム。
【請求項２】
前記情報読取部は、前記字幕情報から複数のパターンの前記マスクを読み取ることを特徴とする請求項１に記載の装置制御システム。
【請求項３】
前記字幕切替部は、前記複数のパターンの前記マスクから所定のパターンのマスクを選択するよう、又は前記マスクを表示しないよう前記字幕処理部を制御することを特徴とする請求項２に記載の装置制御システム。
【請求項４】
前記情報読取部は、前記字幕情報から制御情報を含むマスクを読み取ることを特徴とする請求項１に記載の装置制御システム。
【請求項５】
映像情報と、制御情報を表示用データ領域中に含む字幕情報とをＤＶＤから読み取る情報読取部と、前記映像情報から表示用データを生成処理する映像処理部と、前記字幕情報から前記制御情報を含む表示用データを生成処理する字幕処理部と、前記字幕処理部を制御することにより前記制御情報の表示を切り替える字幕切替部と、前記表示用データと前記制御情報を含む表示用データとを合成して出力用の表示用データを生成する映像合成部と、前記出力用の表示用データを出力する映像信号出力部とを有する映像再生装置と、
前記出力用の表示用データに含まれる前記制御情報に基づいて、同期信号を検出するとともに前記制御情報の輝度を二値化して抽出した外部装置制御信号を出力する制御信号抽出装置と、
前記制御信号抽出装置が出力する前記外部装置制御信号に基づいて動作する外部装置とを備えることを特徴とする装置制御システム。
【請求項６】
前記情報読取部は、前記字幕情報から複数のパターンの前記制御情報を読み取ることを特徴とする請求項５に記載の装置制御システム。
【請求項７】
前記字幕切替部は、前記複数のパターンの前記制御情報から所定のパターンの制御情報を選択するよう、又は前記制御情報を表示しないよう前記字幕処理部を制御することを特徴とする請求項６に記載の装置制御システム。
【手続補正３】
【補正対象書類名】明細書
【補正対象項目名】０００１
【補正方法】変更
【補正の内容】
【０００１】
本発明は、装置制御システムに関する。
【手続補正４】
【補正対象書類名】明細書
【補正対象項目名】０００５
【補正方法】変更
【補正の内容】
【０００５】
従って、本発明の目的は、ＤＶＤの再生中に出力する映像の設定を変更することができる装置制御システムを提供することにある。
【手続補正５】
【補正対象書類名】明細書
【補正対象項目名】０００６
【補正方法】変更
【補正の内容】
【０００６】
（１）本発明は上記目的を達成するため、制御情報を表示用データ領域中に含む映像情報と、前記映像情報の前記表示用データ領域中の前記制御情報に重なる領域に所定のパターンのマスクを含む字幕情報とをＤＶＤから読み取る情報読取部と、前記映像情報から前記制御情報を含む表示用データを生成処理する映像処理部と、前記字幕情報から前記マスクを含む表示用データを生成処理する字幕処理部と、前記字幕処理部を制御することにより前記マスクの表示を切り替える字幕切替部と、前記制御情報を含む表示用データと前記マスクを含む表示用データとを合成して出力用の表示用データを生成する映像合成部と、前記出力用の表示用データを出力する映像信号出力部とを有する映像再生装置と、前記出力用の表示用データに含まれる前記マスクによりマスクされた前記制御情報に基づいて、同期信号を検出するとともに前記制御情報の輝度を二値化して抽出した外部装置制御信号を出力する制御信号抽出装置と、前記制御信号抽出装置が出力する前記外部装置制御信号に基づいて動作する外部装置とを備えることを特徴とする装置制御システムを提供する。
【手続補正６】
【補正対象書類名】明細書
【補正対象項目名】０００８
【補正方法】変更
【補正の内容】
【０００８】
（２）また、本発明は上記目的を達成するため、映像情報と、制御情報を表示用データ領域中に含む字幕情報とをＤＶＤから読み取る情報読取部と、前記映像情報から表示用データを生成処理する映像処理部と、前記字幕情報から前記制御情報を含む表示用データを生成処理する字幕処理部と、前記字幕処理部を制御することにより前記制御情報の表示を切り替える字幕切替部と、前記表示用データと前記制御情報を含む表示用データとを合成して出力用の表示用データを生成する映像合成部と、前記出力用の表示用データを出力する映像信号出力部とを有する映像再生装置と、前記出力用の表示用データに含まれる前記制御情報に基づいて、同期信号を検出するとともに前記制御情報の輝度を二値化して抽出した外部装置制御信号を出力する制御信号抽出装置と、前記制御信号抽出装置が出力する前記外部装置制御信号に基づいて動作する外部装置とを備えることを特徴とする装置制御システムを提供する。
【手続補正７】
【補正対象書類名】明細書
【補正対象項目名】００１１
【補正方法】変更
【補正の内容】
【００１１】
以下に、本発明の装置制御システムの実施の形態を、図面を参照して詳細に説明する。
【手続補正８】
【補正対象書類名】明細書
【補正対象項目名】００１２
【補正方法】変更
【補正の内容】
【００１２】
［実施の形態］
（装置制御システムの構成）
図１は、本発明の実施の形態に係る映像再生装置、制御信号抽出装置及び外部機器（装置制御システム）の構成を示す概略図である。
【手続補正９】
【補正対象書類名】明細書
【補正対象項目名】００３８
【補正方法】変更
【補正の内容】
【００３８】
【図１】本発明の実施の形態に係る映像再生装置、制御信号抽出装置及び外部機器（装置制御システム）の構成を示す概略図である。
【図２Ａ】本発明の実施の形態に係る映像再生装置の構成を示すブロック図である。
【図２Ｂ】本発明の実施の形態に係る制御信号抽出装置の構成を示すブロック図である。
【図３】本発明の実施の形態に係る映像再生装置の動作例を示す概略図である。
【図４】（ａ）〜（ｄ）は、本発明の実施の形態に係る映像再生装置が表示するマスクの例を示す概略図である。
【図５】本発明の実施の形態に係る映像再生装置が表示するマスクの例を示す概略図である。
【図６】本発明の実施の形態に係る映像再生装置が表示するマスクの例を示す概略図である。